(57)【要約】【課題】床面システムにおいて、避難経路表示のために床材に蓄光材を設ける作業を省略できる。【解決手段】床面システム１は、仕上面３を有する複数の板状の床材２を連結して成る。床材２は、床材２同士を連結するための係り合い部９を備え、床材２の連結状態での係り合い部９の仕上面３側から見て露出する部分に蓄光材４が設けられる。床面システム１は、床材２を連結するだけで蓄光材４により避難経路を表示するので、避難経路表示のために床材２に蓄光材４を設ける作業を省略でき、建築作業の効率化を図ることができる。【選択図】図３
2010174433.tif 000002
【特許請求の範囲】
【請求項１】
仕上面を有する複数の板状の床材を連結して成る床面システムであって、
前記床材は、床材同士を連結するための係り合い部を備え、
前記床材の連結状態での前記係り合い部の仕上面側から見て露出する部分に蓄光材が設けられ、
前記床材を連結したときに前記蓄光材が避難経路を表示するようにしたことを特徴とする床面システム。
【請求項２】
前記係り合い部は、一方の床材端面に設けられた凸部と、他方の床材端面に設けられ、前記凸部と係合される凹部とから成り、
前記仕上面側から見て露出する部分は、前記凸部と凹部とが係合した状態で溝形状に形成され、
前記蓄光材は、前記溝形状を形成する面の仕上面寄りを除く部分に設けられていることを特徴とする請求項１に記載の床面システム。
【発明の詳細な説明】
【技術分野】
【０００１】
本発明は、電気などのエネルギを使用しない、環境に優しい蓄光材を備え、この蓄光材が災害発生時に暗闇で発光することで速やかに避難者を避難させるための、避難経路誘導機能を有する床面システムに関する。
【背景技術】
【０００２】
従来、災害の発生によって照明器具が消灯して暗闇となったとき、避難者を屋内から屋外へと避難させるために、誘導灯が天井や床に配置されている。この誘導灯の設置は、建築コストの上昇を招いていた。
【０００３】
そこで、表面に凹溝が設けられたコンクリートや石材、レンガ等から成る基板で構成され、この凹溝に蓄光材が配置された床材が知られている（例えば、特許文献１参照）。この床材は、災害発生時に暗闇となったとき、蓄光材が自然発光することによって、避難者に対して避難経路を表示する。床材が誘導灯の役目を果たすので、家屋に誘導灯を設置する必要が無くなり建築コストを低減させることができる。
【０００４】
しかし、この床材は、避難経路表示のために、家屋の廊下などに取り付けられる前に凹溝に蓄光材を予め配置するか、又は家屋に取り付けられた後に凹溝に蓄光材を配置しなければならず、製作に手間がかかっていた。
【０００５】
また、凹溝の縁に設けられた蓄光材が歩行者のスリッパの底と直接接触することで、蓄光材は凹溝の縁から剥離し易い。蓄光材の剥離によって、床材は、発光量が小さくなり、災害発生時に確実に避難経路を表示することができなくなる虞がある。
【先行技術文献】
【特許文献】
【０００６】
【特許文献１】特開２００３−１３８７２１号公報
【発明の概要】
【発明が解決しようとする課題】
【０００７】
本発明は、上記問題を解決するためになされたものであり、避難経路表示のために床材に蓄光材を設ける作業を省略でき、かつ、床材に設けられた蓄光材の剥離を防止して、長期間使用に耐える避難経路表示構成を提供することができる床面システムを提供することを目的とする。
【課題を解決するための手段】
【０００８】
上記目的を達成するために請求項１の発明は、仕上面を有する複数の板状の床材を連結して成る床面システムであって、前記床材は、床材同士を連結するための係り合い部を備え、前記床材の連結状態での前記係り合い部の仕上面側から見て露出する部分に蓄光材が設けられ、前記床材を連結したときに前記蓄光材が避難経路を表示するようにしたものである。
【０００９】
請求項２の発明は、請求項１に記載の床面システムにおいて、前記係り合い部は、一方の床材端面に設けられた凸部と、他方の床材端面に設けられ、前記凸部と係合される凹部とから成り、前記仕上面側から見て露出する部分は、前記凸部と凹部とが係合した状態で溝形状に形成され、前記蓄光材は、前記溝形状を形成する面の仕上面寄りを除く部分に設けられているものである。
【発明の効果】
【００１０】
請求項１の発明によれば、床材を連結するだけで蓄光材により避難経路を表示することができ、従って、避難経路表示のために床材に蓄光材を設ける作業を省略でき、建築作業の効率化を図ることができる。
【００１１】
請求項２の発明によれば、蓄光材が歩行者のスリッパの底と直接接触しないので、蓄光材が係り合い部から剥離することが防止され、従って、長期間使用に耐える避難経路表示構成を提供することができる。
【図面の簡単な説明】
【００１２】
【図１】本発明の一実施形態に係る床面システムの外観図。
【図２】同床面システムの床材の係合前状態の部分拡大斜視図。
【図３】同床材の係合状態での側面図。
【図４】同床面システムの変形例における床材の係合前状態の部分拡大斜視図。
【図５】同床材の係合状態での側面図。
【発明を実施するための形態】
【００１３】
本発明の一実施形態に係る床面システムについて図面を参照して説明する。図１は、本実施形態の床面システム１の構成を示す。床面システム１は、仕上面３を有する複数の板状の床材２を連結して成る。床材２は、互いに連結するための係り合い部に蓄光材４が設けられており、複数の床材２が屋内の廊下５上に通路幅方向及び通路方向に敷き詰めて設置される。ここに、複数の床材２が敷き詰められるとき、通路幅方向に連結される係り合い部で仕上面３側から見て露出する溝形状（詳細は後述）に蓄光材４が配置されるものとし、この配置により蓄光材４の発光が、通路方向に沿った避難経路を表示するものとなる。廊下５は、居室６から、屋外に通じるドアを有する出入口７までを繋ぐ。床面システム１は、上記のように床材２を連結するだけで蓄光材４により避難経路を表示することができる。
【００１４】
図２及び図３は、床面システム１における床材２の構成を示す。床材２は、床材２同士を通路幅方向に連結するための係り合い部９を備える。係り合い部９は、一方の床材２の端面１０に設けられた雄実である凸部１１と、この凸部１１と係合される他方の床材２の端面１２に設けられた雌実である凹部１３とから形成されている。凸部１１の長さは、凸部１１が凹部１３と係合したときに端面１０と端面１２の間に隙間ができるように、凹部１３の深さよりも長い。仕上面３側から見て露出する部分は、凸部１１と凹部１３とが係合した状態で溝形状１４に形成される。
【００１５】
床材２の材料は、特に限定されないが、例えば、杉、松、樅、ラワン、サクラ等の木材、パーティクルボード、ハードボード、ＭＤＦ（中密度繊維板）、インシュレーションボード等の木質ボード、集成材などが挙げられる。
【００１６】
蓄光材４は、床材２の連結状態での係り合い部９の仕上面３側から見て露出する部分であると共に、溝形状１４を形成する面の仕上面３寄りを除く部分に設けられる。なお、蓄光材４は、溝形状１４を形成する面の仕上面３寄りを含む部分に設けられてもよい。床面システム１は、仕上面３寄りの部分に蓄光材４が設けられていない構成においては、床材２の蓄光材４と歩行者のスリッパの底とが直接接触しないことから、蓄光材４が係り合い部９から剥離することが防止される。従って、床面システム１は、長期間使用に耐える避難経路表示構成をユーザに提供することができる。
【００１７】
蓄光材４は、金属化合物や希土類を複数混合し、さらに汎用の展色剤を混合して形成される。また、蓄光材４は、日中の自然光及び人工光を蓄光して、電気などのエネルギを一切使わないで自然発光するので、ＣＯ２の削減となって環境に優しい。なお、蓄光材４の発光を向上させるために、係り合い部９と蓄光材４との間に白色塗料を設けてもよい。
【００１８】
このような構成とすることにより、例えば、火災が発生した居室６内から避難者が避難するとき、火災によって廊下５や居室６に設けられた照明器具が消灯して暗闇になっても、床材２の蓄光材４が自然発光する。そして、蓄光材４が自然発光して屋外に通じる出入口７までの避難経路を連続ラインとして表示するので、避難者は容易に避難することができる。なお、蓄光材４は、廊下５に設けられた窓ガラスから差し込む日中の自然光や、廊下５に設けられた照明器具から照射される人工光を蓄光することで自然発光する。従って、床面システム１は、床材２を連結するだけで上記のように蓄光材４によって避難経路を表示することができるので、避難経路表示のために床材２に蓄光材４を設ける作業を省略でき、建築作業の効率化を図ることができる。
【００１９】
図４及び図５は、床面システム１の床材２の変形例を示す。この変形例は、床材２の係り合い部９の凸部１１と凹部１３の形状が異なる。凸部１１は、端面１０の略全長にわたって凸設された上じゃくり部である。凹部１３は、端面１２の略全長にわたって凹設された下じゃくり部である。凸部１１の長さは、凸部１１が凹部１３と係合したときに端面１０と端面１２の間に隙間ができるように、凹部１３の深さよりも長い。仕上面３側から見て露出する部分は、凸部１１と凹部１３とが係合した状態で溝形状１４に形成される。蓄光材４は、床材２の連結状態での係り合い部９の仕上面３側から見て露出する部分に設けられる。蓄光材４は、溝形状１４を形成する面の仕上面３寄りを除く部分に設けられる。この変形例においても、上述と同等の作用効果が得られる。
【００２０】
なお、本発明は、上記の実施形態の構成に限られず、発明の要旨を変更しない範囲で種々の変形が可能である。例えば、上記実施形態では、床材２を通路幅方向に連絡する場合の係り合い部９に形成される溝形状１４に蓄光材４を設けて通路方向に連続ラインとして経路表示するものを示したが、床材２が通路幅方向ではなく、通路方向に連結されるところに係り合い部を設けて、そこに形成される溝形状に蓄光材４を設けたものであっても構わない。この場合は、蓄光材４による避難経路は、床材２の通路方向長毎に通路方向に直交する通路幅での離散した表示となる。なお、蓄光材４による経路表示は、通路方向に連続ラインとして表示されるものと、通路幅方向に離散的に表示されるものとを併せて表示するものとしてもよい。
【符号の説明】
【００２１】
１  床面システム
２  床材
３  仕上面
４  蓄光材
９  係り合い部
１０、１２  端面
１１  凸部
１３  凹部
１４  溝形状
【図１】
2010174433.tif 000003
【図２】
2010174433.tif 000004
【図３】
2010174433.tif 000005
【図４】
2010174433.tif 000006
【図５】
2010174433.tif 000007